(57)【特許請求の範囲】
【請求項１】
鏡筒レンズと、
前記鏡筒レンズに対して光入射方向下流側に配置され、前記鏡筒レンズと対向する側のレンズ面が凹面をなし、主走査方向及びこれと直交する副走査方向に異方サイズであり、且つレンズの中心から該レンズの長手方向の両側端に向けて肉厚のレンズ形状であり、なお且つ前記凹面側における非光学面の前記長手方向の両側のみに被固定部を有する単体レンズと、
前記鏡筒レンズを支持するとともに、前記鏡筒レンズと前記単体レンズとの間に配置され、前記単体レンズの前記各被固定部に固定されるレンズ保持部を一体に形成した支持部材と、
を備え、
原稿からの反射光を前記鏡筒レンズ及び前記単体レンズにより画像読取手段上に結像するレンズユニット。
【請求項２】
前記レンズ保持部が前記鏡筒レンズに対して位置決め調整された後、前記単体レンズの前記各被固定部が、接着剤を介して前記レンズ保持部に固定されることを特徴とする請求項１記載のレンズユニット。
【請求項３】
前記レンズ保持部は、前記支持部材と別体のレンズ保持部材に形成されていることを特徴とする請求項１又は２記載のレンズユニット。
【請求項４】
前記単体レンズは、樹脂で形成されていることを特徴とする請求項１ないし３の何れか１つに記載のレンズユニット。
【請求項５】
請求項１ないし４の何れか１つに記載のレンズユニットを備えることを特徴とする画像読取装置。
【請求項６】
請求項５に記載の画像読取装置を具備することを特徴とする画像形成装置。
【発明の詳細な説明】
【技術分野】
【０００１】
本発明は、レンズユニット、画像読取装置及び画像形成装置に関し、詳しくは、原稿の画像情報を画像読取手段上に結像するレンズユニット、このレンズユニットを備える画像読取装置、及びこの画像読取装置を具備する画像形成装置に関する。
【背景技術】
【０００２】
複写機、プリンタ、ファクシミリ、プロッタ等又はそれら複数の機能を備えた複合機等の画像形成装置において、画像読取装置を備えるものにあっては、原稿の画像情報を画像読取手段としてのイメージセンサ上に結像するレンズユニットを有している。
【０００３】
画像読取装置の小型化を目的として、結像レンズをより短共役、広画角、更には小径・小型とするため、結像レンズを鏡筒レンズ、単体レンズの二つに分割し、共役長を短くし、小径化を図りながらも収差、解像度等のレンズ特性の劣化を防ぐ技術が知られている。このような技術としては、例えば、特許文献１及び２が挙げられる。
【発明の概要】
【発明が解決しようとする課題】
【０００４】
しかしながら、上記特許文献１及び２を含め、今までの二つに分割したレンズユニットでは、通常、大径となる単体レンズを、ラインセンサに合わせて主走査、副走査方向で異なるサイズにし小型化を図っていた。この形状から単体レンズは樹脂を基本とした材料による成型レンズとなり、更には鏡筒レンズと間隔をあけて単体レンズ非光学面の長手方向端部の２点にて、鏡筒レンズの端部に単体レンズを接着剤で固定していた。そのため、温度変動時において単体レンズの熱変形が生じた際、単体レンズ光学面の曲率にも変形が生じてしまい、収差が悪化する等のレンズ特性劣化の問題があった。
【０００５】
本発明は、上述の事情に鑑み、鏡筒レンズと、異方サイズの単体レンズとを備えたレンズユニットにおいて、温度変動時に発生する単体レンズの熱伸縮による、レンズ光学面の曲率変動による特性劣化を防止することを目的とする。
【課題を解決するための手段】
【０００６】
上記目的を達成するために、本発明は、鏡筒レンズと、前記鏡筒レンズに対して光入射方向下流側に配置され、前記鏡筒レンズと対向する側のレンズ面が凹面をなし、主走査方向及びこれと直交する副走査方向に異方サイズであり、且つレンズの中心から該レンズの長手方向の両側端に向けて肉厚のレンズ形状であり、なお且つ前記凹面側における非光学面の前記長手方向の両側のみに被固定部を有する単体レンズと、前記鏡筒レンズを支持するとともに、前記鏡筒レンズと前記単体レンズとの間に配置され、前記単体レンズの前記各被固定部に固定されるレンズ保持部を一体に形成した支持部材と、を備え、原稿からの反射光を前記鏡筒レンズ及び前記単体レンズにより画像読取手段上に結像するレンズユニットである。
【発明の効果】
【０００７】
本発明によれば、上記簡素な構成により、温度変動時に発生する単体レンズの熱伸縮による、レンズ光学面の曲率変動による特性劣化を防止することができる。
【図面の簡単な説明】
【０００８】
【図１】本発明の実施形態に係るレンズユニット、画像読取装置が適用される画像形成装置の斜視図である。
【図２】本発明の実施形態に係るレンズユニットが適用される画像読取装置の斜視図である。
【図３】図２に示す画像読取装置の分解斜視図である。
【図４】図２に示す一体型走査光学ユニットの縦断面図である。
【図５】本発明の第１の実施形態に係るレンズユニットを主として示す外観斜視図である。
【図６】（ａ）は図５のレンズユニットを主として示す平面図、（ｂ）は（ａ）のＡ部の拡大図である。
【図７】（ａ）は第１の実施形態に係るレンズユニットの単体レンズの形状を、（ｂ）は第１参考例のレンズユニットの単体レンズの形状を、（ｃ）は第２参考例のレンズユニットの単体レンズの形状を、それぞれ示す平面図である。
【図８】（ａ）、（ｂ）は第１の実施形態の単体レンズ、第１及び第２参考例の単体レンズに温度変動を加えた際の、各レンズ位置に対するレンズ深度方向の熱変形量を示すグラフであって、（ａ）は各レンズの第１面側の、（ｂ）は各レンズの第２面側の、それぞれのグラフである。
【図９】本発明の第２の実施形態に係るレンズユニットを主として示す外観斜視図である。
【図１０】（ａ）は図９のレンズユニットを主として示す平面図、（ｂ）は（ａ）のＡ部の拡大図である。
【図１１】本発明に係る第１、第２の実施形態のレンズユニットを適用した差動ミラー方式の画像読取装置の構成図である。
【発明を実施するための形態】
【０００９】
以下、図を参照して実施例を含む本発明の実施の形態（以下、「実施形態」という）を詳細に説明する。各実施形態等に亘り、同一の機能および形状等を有する構成要素（部材や構成部品）等については、混同の虞がない限り一度説明した後では同一符号を付すことによりその説明を省略する。図および説明の簡明化を図るため、図に表されるべき構成要素であっても、その図において特別に説明する必要がない構成要素は適宜断わりなく省略することがある。
【００１０】
図１に示すように、本実施の形態に係る画像形成装置１０１は、画像読取装置１０２と、画像読取装置１０２の上部に搭載した原稿搬送装置１０３とを備えている。画像形成装置１０１としては、複写機、プリンタ、ファクシミリ等の画像形成装置が含まれる。
【００１１】
図２及び図３に示すように、画像読取装置１０２は、スキャナカバー部２０１、スキャナフレーム部２０２、コンタクトガラス２０３、一体型走査光学ユニット３０１、ガイドロッド３０２及びレール３０３を含んで構成されている。
【００１２】
スキャナカバー部２０１は、矩形状の平面形状を有し、四角枠状のスキャナフレーム部２０２の上縁部に嵌め込まれた状態で固定されている。また、スキャナカバー部２０１は、図示しない原稿が載置されるコンタクトガラス２０３を支持している。
【００１３】
一体型走査光学ユニット３０１は、後述する構成要素・部品を含んでスキャナフレーム部２０２の内側に配置されている。一体型走査光学ユニット３０１は、スキャナフレーム部２０２に取り付けられたガイドロッド３０２及びレール３０３に沿って、図示しないユニット移動機構により図中矢印で示す副走査方向Ｆへ水平に往復移動するよう構成されている。
【００１４】
図４に示すように、一体型光学走査ユニット３０１は、点光源４０１、ミラー群４０２、鏡筒レンズ４０３、単体レンズ４０４Ｘ、イメージセンサ４０５及びレンズユニット受台４０９等を含んで構成されている。鏡筒レンズ４０３、単体レンズ４０４Ｘ、レンズバンド４０７及びレンズユニット受台４０９は、レンズユニット６００Ｘを構成している。
【００１５】
点光源４０１は、コンタクトガラス２０３に載置された原稿５０１に向けて光を照射するようになっており、ＬＥＤアレイなどで構成されている。ミラー群４０２は、複数の反射ミラー４０２ａ，４０２ｂ，４０２ｃ，４０２ｄ，４０２ｅを有し、原稿５０１からの反射光を鏡筒レンズ４０３及び単体レンズ４０４Ｘに入射させてイメージセンサ４０５に導くようになっている。
【００１６】
鏡筒レンズ４０３は、少なくとも１個のレンズを有し、レンズバンド４０７によりレンズユニット受台４０９に固定されている。
単体レンズ４０４Ｘは、鏡筒レンズ４０３に対して光入射方向下流側に位置し、レンズユニット受台４０９に保持・固定されている。鏡筒レンズ４０３及び単体レンズ４０４Ｘは、ミラー群４０２により折り曲げられた反射光をイメージセンサ４０５上に結像するようになっている。単体レンズ４０４Ｘは、鏡筒レンズ４０３との組み合わせで結像レンズとして必要な性能を発揮すべく主走査方向及びこれと直交する副走査方向に異方サイズに形成されている。そのため、後述する図５等に示すレンズユニット６００及び図９等に示すレンズユニット６００Ａを構成する単体レンズ４０４と同様に、製造方法の容易化及びコストの面から、通常、レンズ用の樹脂で形成されている。レンズ用の樹脂としては、例えばメタクリル酸メチル樹脂（ＰＭＭＡ）等が挙げられる。
【００１７】
イメージセンサ４０５は、基板４０６に実装され、イメージセンサ調整／固定ブラケット４１３を介してレンズユニット受台４０９に取り付けられている。イメージセンサ４０５は、画像読取手段として機能する。イメージセンサ４０５には、ＣＣＤ（Charge Coupled Device：電荷結合素子、１次元光電変換素子）イメージセンサやＣＭＯＳイメージセンサなどを用いる。
【００１８】
上述した鏡筒レンズ４０３、単体レンズ４０４Ｘ、レンズバンド４０７及びレンズユニット受台４０９は、レンズユニット６００Ｘの構成要素である。このレンズユニット６００Ｘは、図３、図４に示す一体型走査光学ユニット３０１だけではなく、後述する第１及び第２の実施形態のレンズユニットと同様に、後述する示す差動ミラー方式の画像読取装置にも適用することができる。
【００１９】
（第１の実施形態）
図５〜図８を参照して、本発明の第１の実施形態に係るレンズユニット６００を説明する。図５は本発明の第１の実施形態に係るレンズユニットを主として示す外観斜視図、図６（ａ）は図５のレンズユニットを主として示す平面（上面）図、図６（ｂ）は図６（ａ）のＡ部（一点鎖線で丸く囲んだ部分）の拡大図である。
第１の実施形態に係るレンズユニット６００は、図４に示したレンズユニット６００Ｘと比較して、単体レンズ４０４Ｘに代えて、図５及び図６に示すように、単体レンズ４０４を用いる点、単体レンズ保持部材４１０を新設した点が主に相違する。この相違点以外の第１の実施形態は、図４に示した画像読取装置１０２の一体型走査光学ユニット３０１と同様である。以下、上記相違点を中心に、レンズユニット６００について詳述する。
【００２０】
図５及び図６に示すように、レンズユニット６００は、鏡筒レンズ４０３、単体レンズ４０４、レンズバンド４０７、レンズユニット受台４０９及び単体レンズ保持部材４１０を含んで構成されている。レンズユニット６００は、図示しない原稿からの反射光をイメージセンサ４０５上に結像するようになっている。なお、図５及び図６は、図４の上下を反転させた状態を表している。
【００２１】
鏡筒レンズ４０３は、鏡筒と、鏡筒に内包・保持される複数の回転対称レンズとで構成されている。複数の回転対称レンズは、光軸４１５を中心として回転調整可能に構成されている。鏡筒レンズ４０３は、鏡筒レンズ４０３の周方向に延びるレンズバンド４０７と、レンズバンド４０７の両端部をレンズユニット受台４０９に締結・固定する締結手段としてのボルト４０８とにより、レンズユニット受台４０９に固定されている。
【００２２】
レンズユニット受台４０９は、適度の剛性を確保して上記構成部材を位置決め支持するために板金（鋼板）で形成されている。レンズユニット受台４０９は、レンズバンド４０７を介して鏡筒レンズ４０３を支持するとともに、後述するように単体レンズ保持部材４１０を介して、単体レンズ４０４を保持・固定する支持部材ないし保持部材として機能する。
【００２３】
単体レンズ４０４は、鏡筒レンズ４０３に対して光入射方向下流側に配置されていて、鏡筒レンズ４０３と対向する側のレンズ面が凹面（図７に示す第１面４０４ａでもある）をなし、反対・背面側のレンズ面が凸面（図７に示す第２面４０４ｂでもある）をなす。単体レンズ４０４は、主走査方向Ｓ及びこれと直交する副走査方向Ｆ（図５に示すイメージセンサ４０５のセンサ面と平行な図の上下方向）に異方サイズのレンズであり、レンズの中心からレンズの長手方向（主走査方向Ｓ）の両側端に向けて肉厚のレンズ形状である。更に、単体レンズ４０４には、凹面（図７の第１面４０４ａ）側における非光学部・非光学面の主走査方向Ｓの両側に被固定部としての被固定面４０４ｃ，４０４ｄが形成されている。
言い換えれば、単体レンズ４０４の各被固定面４０４ｃ，４０４ｄは、凹面（図７の第１面４０４ａ）側において反射光が透過する単体レンズ４０４の光学部・光学面の一側縁部及び他側縁部から外方へ向けてそれぞれ突出した一対の突出部に形成されている。単体レンズ４０４の各被固定面４０４ｃ，４０４ｄは、反射光の光路から外れた非光学部・非光学面に形成されている。なお、単体レンズの被固定部としては、反射光の光路から外れた非光学部・非光学面でその結像機能に問題を発生させない位置に形成されていればよく、図５及び図６に例示したような突出部形状の被固定面４０４ｃ，４０４ｄに限定されないことは無論である。
【００２４】
単体レンズ保持部材４１０は、鏡筒レンズ４０３と単体レンズ４０４との間のレンズユニット受台４０９に配置されている。単体レンズ保持部材４１０は、単体レンズ４０４を保持し、位置決めする機能を発揮できるよう、適度の剛性を備えた板金で折り曲げ形成されている。単体レンズ保持部材４１０は、単体レンズ４０４の被固定面４０４ｃ，４０４ｄに対向して、後述する位置決め調整後に最終的に各被固定面４０４ｃ，４０４ｄに接着剤４１１を介して固定される平坦面状のレンズ保持部４１０ａ，４１０ｂを有する。
【００２５】
次に、レンズユニット６００の位置決め・調整方法を説明する。
先ず、鏡筒レンズ４０３の外周にレンズバンド４０７を掛け渡し、レンズバンド４０７の両端部を各ボルト４０８でレンズユニット受台４０９に締結することにより、鏡筒レンズ４０３をレンズユニット受台４０９に固定する。次いで、単体レンズ保持部材４１０のレンズ保持部４１０ａ，４１０ｂが鏡筒レンズ４０３の光軸４１５に対して所定の範囲内となるように、単体レンズ保持部材４１０の底部がレンズユニット受台４０９に固定される。この際の固定方法としては、一般的な締結手段であるネジやカシメ、あるいは接着剤等が用いられる。
【００２６】
次いで、図６（ｂ）に示すように、単体レンズ４０４の被固定面４０４ｃ，４０４ｄを単体レンズ保持部材４１０のレンズ保持部４１０ａ，４１０ｂに接着剤４１１を介して固定する。この際、単体レンズ４０４の被固定面４０４ｃ，４０４ｄが、図６（ａ）に示すように、レンズ保持部４１０ａ，４１０ｂとの間に隙間ｃが形成されるよう、位置決め用治具を使用しながら単体レンズ４０４を保持しつつ、鏡筒レンズ４０３に対して位置決め調整を行う。この隙間ｃは、接着剤４１１の塗布層を形成するためのものであり、この際の接着剤としては、例えば紫外線硬化樹脂などの接着剤を用いる。
図６（ａ）に示すように、単体レンズ４０４の被固定面４０４ｃ，４０４ｄと、レンズ保持部４１０ａ，４１０ｂとの間に隙間ｃが形成されて位置決め調整されたならば、紫外線硬化樹脂を隙間ｃに塗布充填した後、紫外線照射を行う。すると、紫外線硬化樹脂が即座に硬化することにより、単体レンズ４０４の被固定面４０４ｃ，４０４ｄが単体レンズ保持部材４１０のレンズ保持部４１０ａ，４１０ｂに固定される。このように、単体レンズ４０４は、その各被固定面４０４ｃ，４０４ｄのみにて単体レンズ保持部材４１０のレンズ保持部４１０ａ，４１０ｂに固定され、単体レンズ４０４の被固定面４０４ｃ，４０４ｄ以外の部位はフリー状態になっている。
【００２７】
単体レンズ保持部材４１０が鏡筒レンズ４０３に対して固定された後、単体レンズ保持部材４１０を介して単体レンズ４０４を鏡筒レンズ４０３に対して位置決め調整する方法としては、専用の調整装置（図示せず）を使用しながら行うようになっている。この調整装置では、鏡筒レンズ４０３と、単体レンズ４０４とがなすレンズ特性を見ながら調整を行うようになっている。
【００２８】
次に、第１の実施形態に係るレンズユニットの単体レンズ、第１及び第２参考例のレンズユニットの各単体レンズを、単体レンズ形状のみ異なる他は同一の条件で温度変動を加えた際の各レンズ位置に対するレンズ深度方向の熱変形量について説明する。
図７（ａ）は第１の実施形態に係るレンズユニットの単体レンズの形状を、図７（ｂ）は第１参考例のレンズユニットの単体レンズの形状を、図７（ｃ）は第２参考例のレンズユニットの単体レンズの形状を、それぞれ示す平面（上面）図である。図８（ａ）、図８（ｂ）は第１の実施形態の単体レンズ、第１及び第２参考例の単体レンズに温度変動を加えた際の、各レンズ位置に対するレンズ深度方向の熱変形量を示すグラフであって、図８（ａ）は各レンズの第１面側の、図８（ｂ）は各レンズの第２面側の、それぞれのグラフである。
【００２９】
図７（ａ）、図７（ｂ）、図７（ｃ）に示すように、単体レンズ４０４と、単体レンズ４０４Ａと、単体レンズ４０４Ｂとは、レンズの光学面及び肉厚形状は同一であり、またその結像性能も同じである。単体レンズ４０４と、単体レンズ４０４Ａと、単体レンズ４０４Ｂとは、単体レンズ保持部材４１０に接着剤を介して保持・固定される被固定部の位置のみ異なる。
【００３０】
ちなみに、単体レンズ４０４の被固定面４０４ｃ，４０４ｄは、上述したとおり、レンズ凹面である第１面４０４ａ側における非光学面の主走査方向Ｓの両側に形成されている。４０４bは、単体レンズ４０４の第１面４０４ａと反対側の第２面を示す。
レンズ保持部４１０ａ，４１０ｂに固定される単体レンズ４０４Ａの被固定面４０４Ａｃ，４０４Ａｄは、レンズ凹面である第１面４０４Ａａよりレンズ凸面の第２面４０４Ａｂ側に偏倚した非光学面の主走査方向Ｓの両側に形成されている。レンズ保持部４１０ａ，４１０ｂに固定される単体レンズ４０４Ｂの被固定面４０４Ｂｃ，４０４Ｂｄは、レンズ凸面である第２面４０４Ｂｂ側における非光学面の主走査方向Ｓの両側に形成されている。
【００３１】
単体レンズ４０４、単体レンズ４０４Ａ、単体レンズ４０４Ｂを、単体レンズ保持部材４１０のレンズ保持部４１０ａ，４１０ｂに上記各被固定面を同一の接着剤で同様に固定し、これらに２２℃から６０℃へ温度変動（温度ストレス）を加える試験を行った。接着剤は、紫外線硬化樹脂を用い、単体レンズ４０４、単体レンズ４０４Ａ、単体レンズ４０４Ｂは、レンズ用の同じ樹脂（同じ線膨張係数）で形成したものを用いた。そして、図８（ａ）、図８（ｂ）に示すように、各単体レンズの第１面、第２面における各レンズ位置に対するレンズ深度方向の熱変形量をグラフ（線図）にして比較した。図８（ａ）、図８（ｂ）において、横軸にはレンズ位置（図７に示す各単体レンズのレンズ中心より左側に位置するレンズ位置を−とし、レンズ中心より右側に位置するレンズ位置を＋とする）を取り、縦軸にはレンズ深度方向の熱変形量［ｍｍ］を取っている。
【００３２】
図８（ａ）、図８（ｂ）のグラフから、以下のことが判明した。即ち、レンズ保持部４１０ａ，４１０ｂに固定する被固定部である上記各被固定面を、よりレンズ凹面側（第１面４０４ａ）に配備した本実施形態の単体レンズ４０４が第１面４０４ａ、第２面４０４ｂ共に、レンズ深度方向の変形を抑制していることが明らかである。単体レンズ４０４では、単体レンズ４０４Ａ，４０４Ｂと比べ、温度変動が生じた際、レンズ保持部４１０ａ，４１０ｂと各被固定面４０４ｃ，４０４ｄとのレンズ固定部間での熱伸縮がレンズ光学面法線方向に逃げるよう変動する。これにより、レンズ光学面の湾曲による曲率変動が小さくなることが分かった。
【００３３】
レンズユニット全体に対する光学性能の評価（単体レンズ４０４Ａ，４０４Ｂがレンズユニットとして採用できるか否かの最終判断）は別途行う予定であるが、少なくとも本実施形態のレンズユニット６００の単体レンズ４０４は問題ないと判断される。
【００３４】
上述したとおり、本実施形態のレンズユニット６００では、温度変動が生じた際、レンズ固定部間での単体レンズ４０４の熱伸縮がレンズ光学面法線方向に逃げるよう変動するため、レンズ光学面の湾曲による曲率変動を抑制することができる。即ち、本実施形態によれば、温度変動時に発生する単体レンズ４０４の熱伸縮による、レンズ光学面の曲率変動による特性劣化を防止することができる。
【００３５】
（第２の実施形態）
図９及び図１０を参照して、本発明の第２の実施形態に係るレンズユニット６００Ａを説明する。図９は本発明の第２の実施形態に係るレンズユニットを主として示す外観斜視図、図１０（ａ）は図９のレンズユニットを主として示す平面（上面）図、図１０（ｂ）は図１０（ａ）のＡ部（一点鎖線で丸く囲んだ部分）の拡大図である。
第２の実施形態に係るレンズユニット６００Ａは、第１の実施形態のレンズユニット６００と比較して、単体レンズ保持部材４１０を除去し、これに代えて、レンズユニット受台４０９に一体的に形成したレンズ保持部４０９Ａ，４０９Ｂを用いる点が相違する。この相違点以外の第２の実施形態は、図５、図６等に示したレンズユニット６００と同様である。以下、上記相違点を中心に、レンズユニット６００Ａについて詳述する。
【００３６】
図９及び図１０に示すように、レンズユニット６００Ａは、鏡筒レンズ４０３、単体レンズ４０４、レンズバンド４０７及びレンズユニット受台４０９を含んで構成されている。レンズユニット６００Ａは、図示しない原稿からの反射光をイメージセンサ４０５上に結像するようになっている。なお、図９及び図１０は、図４の上下を反転させた状態を表している。
【００３７】
レンズユニット受台４０９は、図５、図６等に示したそれと比較して、図において左右一対のレンズ保持部４０９Ａ，４０９Ｂが切り曲げ成形によって、レンズユニット受台４０９に一体形成されている点のみ相違する。各レンズ保持部４０９Ａ，４０９Ｂは、鏡筒レンズ４０３と単体レンズ４０４との間のレンズユニット受台４０９に配置され、単体レンズ４０４を保持し、位置決めする機能を発揮できるよう、適度の剛性を備えている。レンズ保持部４０９Ａ，４０９Ｂには、単体レンズ４０４の被固定面４０４ｃ，４０４ｄに対向して、第１の実施形態と略同様の位置決め調整後に最終的に各被固定面４０４ｃ，４０４ｄに接着剤４１１を介して固定されるレンズ保持面４０９Ａａ，４０９Ｂｂを有する。
【００３８】
なお、レンズユニット６００Ａの位置決め・調整方法は、当業者であれば第１の実施形態から容易に理解して実施できるため、重複説明を避ける上からその説明を省略する。
【００３９】
上述したとおり、本実施形態のレンズユニット６００Ａでも、温度変動が生じた際、レンズ固定部間での単体レンズ４０４の熱伸縮がレンズ光学面法線方向に逃げるよう変動するため、レンズ光学面の湾曲による曲率変動を抑制することができる。本実施形態によれば、第１の実施形態よりも部品点数が１つ減っており、第１の実施形態よりも簡素な構成によって、温度変動時に発生する単体レンズ４０４の熱伸縮による、レンズ光学面の曲率変動による特性劣化を防止することができる。
【００４０】
本発明に係る第１、第２の実施形態のレンズユニット６００又は６００Ａは、図３、図４に示す一体型走査光学ユニット３０１だけではなく、図１１に示す差動ミラー方式の画像読取装置にも適用することができる。図１１は、本発明に係る第１、第２の実施形態のレンズユニット６００又は６００Ａを適用した差動ミラー方式の画像読取装置の構成図である。
差動ミラー方式の画像読取装置では、図１１に示すように、第１走行体５１１を、光路長（共役長）を一定に維持するため、第２走行体５１２の倍速で副走査方向Ｆに移動させる。この移動の際に、第１走行体５１１に搭載した光源５１３で原稿台ガラス５１４に載せた原稿５０１を露光し、原稿５０１からの反射光を第１走行体５１１と第２走行体５１２との複数のミラーＭ１，Ｍ２，Ｍ３で反射させる。そして、原稿５０１からの反射光を、装置内に配置した結像レンズとしてのレンズユニット６００又は６００Ａを通して、ＣＣＤイメージセンサ等からなる画像センサ５１５に導くように構成されている。
【００４１】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。例えば、上記第１実施形態と第２の実施形態、あるいはそれら実施形態に含まれている実施例等を適宜組み合わせたものであってもよい。
【００４２】
例えば、単体レンズ４０４は、レンズ用樹脂で形成されたものに限らず、レンズ用ガラス等で形成したものでもよい。これは、将来、レンズ製造技術の発達、レンズ材料等の開発により、主走査方向及び副走査方向に異方サイズの単体レンズであっても、ガラス製等のレンズが樹脂製のそれと比べてコストの面からも同等程度となる可能性があるからである（請求項１）。
【００４３】
例えば、本発明を適用する画像形成装置は、上述のタイプの画像形成装置に限らず、他のタイプの画像形成装置であってもよい。即ち、本発明を適用する画像形成装置は、複写機、プリンタ、ファクシミリ等に限らず、プロッタ等又はそれら複数の機能を備えた複合機等の画像形成装置でもよい。
【００４４】
本発明の実施の形態に記載された効果は、本発明から生じる最も好適な効果を列挙したに過ぎず、本発明による効果は、本発明の実施の形態に記載されたものに限定されるものではない。
【符号の説明】
【００４５】
１０１    画像形成装置
１０２    画像読取装置
４０３    鏡筒レンズ
４０４    単体レンズ
４０４ａ    第１面（凹面）
４０４ｂ    第２面（凸面）
４０４ｃ，４０４ｄ    被固定面（被固定部）
４０５    イメージセンサ（画像読取手段の一例）
４０７    レンズバンド
４０９    レンズユニット受台（支持部材の一例）
４０９Ａ，４０９Ｂ    レンズ保持部
４０９Ａａ，４０９Ｂｂ    レンズ保持部のレンズ保持面
４１０    単体レンズ保持部材（レンズ保持部材の一例）
４１０ａ，４１０ｂ    レンズ保持部
４１１    接着剤
４１５    光軸
５０１  原稿
６００，６００Ａ    レンズユニット
【先行技術文献】
【特許文献】
【００４６】
【特許文献１】特許第４９９４７５３号公報
【特許文献２】特開２０１２−１３７７５１号公報
【図１】
0006528360.tif 000002
【図２】
0006528360.tif 000003
【図３】
0006528360.tif 000004
【図４】
0006528360.tif 000005
【図５】
0006528360.tif 000006
【図６】
0006528360.tif 000007
【図７】
0006528360.tif 000008
【図８】
0006528360.tif 000009
【図９】
0006528360.tif 000010
【図１０】
0006528360.tif 000011
【図１１】
0006528360.tif 000012